(57)【特許請求の範囲】
【請求項１】
基材と、該基材の少なくとも一方の面へ、プライマ層、金属鏡面を有する金属層を設け、該金属層面へ情報、印刷層及び潜像層をこの順に設けてなる複写防止媒体において、
前記基材が紙基材であり、
前記プライマ層がセルロース系樹脂であり、
前記金属層がアルミニウム蒸着薄膜であり、
前記情報がＵＶオフセット印刷法で印刷され、かつ個人情報又は個別情報であり、
前記印刷層がＵＶオフセット印刷法で印刷され、かつ異なる網点からなる複数のブロックを網点率の順次変化、網点率の順次変化の繰り返し、又は任意の網点率の組合せからなるグラデーション図柄であり、
前記潜像層の潜像が低光透過層のポジ像と該低光透過層より光反射率が３〜５％高い範囲の高光透過層のネガ像とをネガポジの関係で突合せるように設けた境界線による潜像であり、
かつ前記高光透過層がアクリル系樹脂からなる透明インキを用い、前記低光透過層がアクリル系樹脂とマイクロシリカからなる透明インキを用いたＵＶオフセット印刷法で印刷されてなり、
前記情報、前記印刷層及び前記潜像層がＵＶオフセット印刷法で印刷されてなることを特徴とする複写防止媒体。
【請求項２】
前記情報が、前記印刷層と前記潜像層との間であることを特徴とする請求項１に記載の複写防止媒体。
【発明の詳細な説明】
【技術分野】
【０００１】
本発明は、複写防止媒体に関し、さらに詳しくは、金券類や証明書などのの重要書類などの複写を防止するための複写防止媒体及び複写防止用紙に関するものである。
【０００２】
本明細書において、配合を示す「比」、「部」、「％」などは特に断わらない限り質量基準であり、「／」印は一体的に積層されていることを示す。また、「Ａｌ」は「アルミニウム」、「ＰＥＴ」は「ポリエチレンテレフタレート」、及び「ＶＭ」は「蒸着」の略語、機能的表現、通称、又は業界用語である。
【背景技術】
【０００３】
（主なる用途）本発明の複写防止媒体の主なる用途としては、例えば、紙幣、株券、証券、証書、商品券、小切手、手形、入場券、通帳類、ギフト券、乗車券、車馬券、印紙、切手、鑑賞券、入場証、通行証、チケット等の金券類、キャッシュカード、クレジットカード、ＩＤカード、プリペイドカード、メンバーズカード、ＩＣカード、光カードなどのカード類、グリーティングカード、ハガキ、名刺、運転免許証、パスポート等の各種証明書やその証明写真類、カートン、ケース、軟包装材などの包装材類、バッグ類、化粧品、腕時計、ライター等のブランド装身具、封筒、タグ、しおり、カレンダー、ポスター、パンフレット、ネームプレート、レポート用紙など文具類などがある。しかしながら、複写を防止する用途であれば、特に限定されるものではない。
【０００４】
（背景技術）従来、金券類、カード類、及び各種証明書類などのは、資格証明や一定の経済的価値や効果を持っている。複写、偽造、又は変造によって所有者以外の他人に使用された場合には、多大な経済的な損害を被るので、これらの媒体には複写防止をしておく
必要がある。近年、カラーコピー機などの複写機の技術的進歩により、複写性能がめざましく向上してきている。複写物は、高品質となり、被複写物の原本と比較してほとんど目視では判別することができない程度になっている。高度な偽造防止策が施されているはずの銀行券や商品券等の金券、入場券、定期券やＩＤカード等の重要書類も複写され、不正に使用されることが増加している。
従って、複写防止媒体は、複写機での複写が防止でき、かつ、低コストで大量製造できることが求められている。
【０００５】
（先行技術）従来、本出願人は、基材と、ホログラムまたは回折格子からなる多数の光回折パターン形成層を隣合う光回折パターン形成層同士の光学特性が異なるように前記基材上に形成した複写防止層と、前記複写防止層上に透明または半透明に形成され、情報が記録される情報記録層とを備える複写防止媒体が知られている（例えば、特許文献１参照。）。しかしながら、ホログラムまたは回折格子からなる多数の光回折パターン形成層を作成するには高度で精密な技術や設備を要し、高コストとなるという問題点がある。
また、シート基材と表面が金属鏡面である金属層からなる複写防止媒体が知られている（例えば、特許文献２参照。）。しかしながら、複写すると真っ黒となって、悪意で複写したかが判らないという問題点がある。
さらに、第１の光反射部と第２の光反射部とを含む複写防止媒体であって、前記第１の光反射部と前記第２の光反射部とが金属薄膜層を有し、前記金属薄膜層に入射する光の量を制限する第１の光透過層が、前記第２の光反射部に形成され、前記第１の光反射部に形成されていない複写防止媒体が知られている（例えば、特許文献３参照。）。しかしながら、第１の光反射部と第２の光反射部とで構成する潜像は２つの光反射部の差であり、該潜像は見る角度によって目視できてしまう欠点があり、見にくくするために、カムフラージュパターンを形成したりしている。また、通常の文字だけであればよいが、カラー画像であれば、最近の高精度のカラーコピー機ではある程度複写されてしまうという欠点がある。そこで、本発明者らは、さらに鋭意研究を進め、本発明の完成に至ったものである。
【０００６】
【特許文献１】特開平６−２７０５８１号公報
【特許文献２】特開昭６２−１９９８９９号公報
【特許文献３】特開平１０−８１０５８号公報
【発明の開示】
【発明が解決しようとする課題】
【０００７】
そこで、本発明は上記のような問題点を解消するために、本発明者らは鋭意研究を進め、本発明の完成に至ったものである。その目的は、複写機での複写防止、及び複写牽制効果があり、かつ、低コストで大量製造できる複写防止媒体及び複写防止用紙を提供することである。
【課題を解決するための手段】
【０００８】
上記の課題を解決するために、請求項１の発明に係わる複写防止媒体は、基材と、該基材の少なくとも一方の面へ、プライマ層、金属鏡面を有する金属層を設け、該金属層面へ情報、印刷層及び潜像層をこの順に設けてなる複写防止媒体において、前記基材が紙基材であり、前記プライマ層がセルロース系樹脂であり、前記金属層がアルミニウム蒸着薄膜であり、前記情報がＵＶオフセット印刷法で印刷され、かつ個人情報又は個別情報であり、前記印刷層がＵＶオフセット印刷法で印刷され、かつ異なる網点からなる複数のブロックを網点率の順次変化、網点率の順次変化の繰り返し、又は任意の網点率の組合せからなるグラデーション図柄であり、前記潜像層の潜像が低光透過層のポジ像と該低光透過層より光反射率が３〜５％高い範囲の高光透過層のネガ像とをネガポジの関係で突合せるように設けた境界線による潜像であり、かつ前記高光透過層がアクリル系樹脂からなる透明インキを用い、前記低光透過層がアクリル系樹脂とマイクロシリカからなる透明インキを用いたＵＶオフセット印刷法で印刷されてなり、前記情報、前記印刷層及び前記潜像層がＵＶオフセット印刷法で印刷されてなることを特徴とする複写防止媒体である。
請求項２の発明に係わる複写防止媒体は、前記情報が、前記印刷層と前記潜像層との間であることを特徴とする請求項１に記載の複写防止媒体である。
【発明の効果】
【０００９】
請求項１の本発明によれば、複写機での複写防止、及び複写牽制効果があり、かつ、低コストで大量製造でき、グラデーション図柄の自由度が増す複写防止媒体が提供される。
請求項２の本発明によれば、請求項１の効果に加えて、情報を予め形成しておいたり、後から形成したりしてもよい複写防止媒体が提供される。
【発明を実施するための最良の形態】
【００１０】
以下、本発明の実施形態について、図面を参照しながら、詳細に説明する。
図１は、本発明の１実施例を示す複写防止媒体の平面図及び断面図である。
図２は、複写後の複写体の平面図である。
図３は、潜像層の構成例を示す断面図である。
図４は、情報の位置を示す断面図である。
図５は、グラデーション図柄の組合せ例の平面図である。
【００１１】
（複写防止媒体）本発明の複写防止媒体１０の１実施例を図１に示す。図１（Ａ）は平面図、図１（Ｂ）はＡＡ断面図である。複写防止媒体１０は、基材１１の少なくとも一方の面へ、金属鏡面を有する金属層基材１５と、印刷層１８、潜像層１９及び情報１７を設ける。グラデーション図柄からなる印刷層１８、光反射率の差による潜像からなる潜像層１９、及び情報１７を設けておく。情報１７が形成されている複写防止媒体１０を複写すると、図２に示すように、複写して得られた複写体１０Ｃは、金属鏡面からの高い光反射率によって全体が暗くなり、かつ、前記グラデーション図柄部分も暗く、グラデーション図柄に応じて迷彩化して情報１７が判読できにくくなり、複写防止効果がある。同時に、複写前の潜像は通常では目視しにくいが、複写機で複写すると光線の反射で絵柄を検出するので、反射率が異なる潜像部分は顕在化して目視可能の図柄となって複写され、複写したことが一目で明確に判り、複写牽制効果がある。また、印刷層１８のグラデーション図柄が、異なる網点のブロックの任意の組合せでもよく、情報１７は潜像層１９面、金属層１５とグラデーション図柄の印刷層１８との間、グラデーション図柄の印刷層１８と潜像層１９との間、のいずれかでもよい。
【００１２】
また、本発明の複写防止用紙は、印刷層１８及び潜像層１９面へ情報を印画した後に複写することで、その複写体は全体が暗くなり、前記印刷層のグラデーション図柄部分はグラデーション図柄に応じて迷彩化して、前記情報のグラデーション図柄部分を判読できにくくし、前記潜像層の光反射率の差による潜像部分は顕在化して目視可能となって、複写したことが判別できる。さらに、層間及び／又は層表面へ、必要に応じて他の層を設けてもよく、プライマ層、他の印刷層、保護層、帯電防止層、背面滑性層などがあり、それぞれ公知のものでよい。
【００１３】
（基材）基材１１としては、特に限定されるではなく、例えば天燃繊維紙、コート紙、トレーシングペーパー、転写時の熱で変形しないプラスチックフイルム、木材、布などのいずれのものでもよい。また、好ましくは、紙基材であり、例えば、強サイズ性の晒または未晒の紙、あるいは純白ロール紙、クラフト紙、板紙が例示でき、これらの紙へ加工したアート紙、コート紙、軽量コート紙、キャストコート紙などの加工紙、その他等を使用することができる。また、該基材に、各種の樹脂のフィルム乃至シ−トなどを貼合したものを用いてもよい。基材の厚さとしては、特に限定されないが、坪量約２０〜６００ｇ／ｍ2位のもの、好ましくは、坪量約５０〜４５０ｇ／ｍ2位のものを使用することが望ましい。
【００１４】
（金属層）金属層１５としては、Ａｌ、銅、錫、鉄など特に限定されないが、低コストで入手し易く加工し易い、Ａｌ箔（ミラー面を使用）、又はＡｌ蒸着薄膜が好ましい。厚さとしては、金属層鏡面であれば特に限定されないが、１００ｎｍ〜５０μｍ程度、薄ければ薄いほどよい。
【００１５】
（積層）基材１１と金属層１５との積層は特に限定されないが、Ａｌ箔を用いたウェットラミ、ポリサンドラミ、ドライラミなどの公知の方法で、Ａｌ箔の光沢面が潜像面となるようにする。また、基材１１へ直接又はプライマ層などの層を介して、金属を蒸着、スパッタリングなどの真空成膜法で金属層１５を形成してもよく、金属鏡面の光沢の点で好ましい。
【００１６】
（印刷層）金属層１５面へ設ける印刷層１８は、図１に示すような色濃度が連続変化するグラデーション図柄とする。また、異なる網点からなる複数のブロックとし、網点率の異なるブロックを網点率が順次変化するように配置して、ブロック単位のグラデーション図柄としたり、網点率の順次変化を繰り返したり、異なる網点率からなるブロックを任意の組合せて図柄状とし、即ち、ブロック状のランダム図柄としたり、してもよい。このようにすることで、グラデーション図柄の自由度が増し、より複雑とすることで、複写防止性が向上できる。例えば、図５（Ａ）に示すような、異なる網点率からなる矩形のブロックを任意に組合せたものや、図５（Ｂ）に示すような、異なる網点率からなる楕円状を任意に組合せたものなどで、形状も矩形や楕円形に限らず、またそれらを組み合わせてもよい。グラデーションが淡い過ぎると金属層反射と差がすくなく、ある程度の濃度が必要であり、色によっても異なり、暗色ほど低い色濃度でよい。グラデーションの色は、下層の金属鏡面での反射のよい透明色が好ましく、複数色を用いてもよい。印刷層１８の形成は、オフセット印刷、グラビア印刷、インクジェット印刷など公知の印刷法でよく、特にＵＶオフセット印刷、ＵＶインクジェット印刷が好ましい。
【００１７】
（グラデーションの複写）一般に、複写機では、複写しようとする被複写物の表面に光を照射し、被複写物の表面で反射散乱する光のうち、一定方向に設けられた受光部で受光し、その受光強度を読み取り、それを再現している。カラーコピー機では、３原色の各成分ごとに読み取り、濃度階調や色調が再現される。一般的な白色紙を複写すると、反射散乱光の分布はほぼ均等で反射率が大きく白く、金属鏡面では正反射して黒く再現される。インキによる印刷面では、反射散乱光の分布が偏っており、印刷に応じた中間的な再現となる。本発明では、金属層１５を設けているので、複写して得られた複写体１０Ｃは、金属鏡面からの高い光反射率によって全体が暗くなり、情報１７が判読できにくくなる。
かつ、前記グラデーション図柄部分も解像度の違いもあって、元のグラデーション図柄より暗く、より暗色となり、境界部も入り混じって不明確化して、被複写物の目視画像と複写物の画像とではかなり変化して、情報１７が判読できにくくなり、複写防止効果がある。
【００１８】
（潜像層）印刷層１８面へ潜像層１９を設ける。該潜像層１９は図３に示すように、低光透過層１９Ａと高光透過層１９Ｂとを隣接又は重ねて設け、これらの境界線で潜像が形成されている。該低光透過層１９Ａと高光透過層１９Ｂとの構成は、図３（Ａ）、図３（Ｂ）、図３（Ｃ）のように低光透過層１９Ａ又は高光透過層１９Ｂのポジ像又はネガ像で潜像としたり、図３（Ｄ）のようにポジ像又はネガ像を組合せてもよい。低光透過層１９Ａと高光透過層１９Ｂの反射率差は２〜１０％程度、好ましくは３〜５％の範囲である。この範囲を超えると、本物の複写防止媒体１０であっても角度によっては目視でき、この範囲未満であるとカラーコピー機によっては顕在化せず見分けられないことがある。
【００１９】
（潜像、模様）潜像は特に限定されないが、「複写禁止」、「複写厳禁」、「ＣＯＰＹ」、「偽物」、「無効」等の警告文字又はマークから、適宜選択すればよい。また、図形、迷彩、地紋、及び／又は幾何学模様でもよい。このように、複写前の潜像は通常では目視しにくいが、複写機で複写すると光線の反射で絵柄を検出するので、反射率が異なる潜像部分は顕在化して目視可能の図柄となって複写され、複写したことが一目で明確に判り、複写牽制効果がある。また、潜像層１９は低光透過層１９Ａと高光透過層１９Ｂの２層ではなく、光透過性の異なる３層以上であってもよい。
【００２０】
（潜像の形成）潜像は低光透過層１９Ａと高光透過層１９Ｂとから構成する。低光透過層１９Ａとしては光が散乱又は吸収などにより、入射光に比べて光量が少なくなる層で、ポリエステル系樹脂などの合成樹脂（バインダー）と微粒子との混合物が使用できる。微粒子としては、例えば、タルク、炭酸カルシウム、酸化チタン、シリカ等の無期顔料、及び、ポリエチレンパウダー等のプラスチックパウダー等で、著しく透明性を損なわない程度の量とする。高光透過層１９Ｂとしては、金属層１５への入射光量を制限すればよく、低光透過層１９Ａより光透過率が高く、ポリエステル系樹脂などの合成樹脂（バインダー）が使用できる。低光透過層１９Ａの光透過率より高い範囲なら、無期顔料やポリエチレンパウダー等を添加してもよい。低光透過層１９Ａと高光透過層１９Ｂの形成は特に限定されないが、オフセット印刷、グラビア印刷など公知の印刷法でよく、特にＵＶオフセット印刷、ＵＶインクジェット印刷が好ましい。
【００２１】
（情報）本発明の複写防止媒体１０では、情報１７を上記で得た基材１１／金属層１５／印刷層１８／潜像層１９の潜像層１９面へ設けるが、情報１７の位置を変更してよく、基材１１／金属層１５／印刷層１８／潜像層１９／情報１７、基材１１／金属層１５／印刷層１８／情報１７／潜像層１９、基材１１／金属層１５／情報１７／印刷層１８／潜像層１９、の構成としてもよい。また、大量に作る場合には基材１１／金属層１５へ情報１７／を形成した後に、印刷層１８及び潜像層１９を形成してもよい。
【００２２】
また、本発明の複写防止媒体１０に用いる複写防止用紙を予め作成し保存しておいて、必要に応じて、情報１７を形成してもよい。本発明の複写防止用紙は情報１７以外は複写防止媒体１０と同様の構成、製造法でよく、印刷層１８及び潜像層１９面へ情報１７を印画した後に複写することで、その複写体は全体が暗くなり、前記印刷層のグラデーション図柄部分はグラデーション図柄に応じて迷彩化して、前記情報のグラデーション図柄部分を判読できにくくし、前記潜像層の光反射率の差による潜像部分は顕在化して目視可能となって、複写したことが判別できる。なお、情報１７の形成はオフセット印刷やグラビア印刷など公知の印刷法でよく、特に限定されないが、好ましくはＵＶオフセット印刷又はＵＶインクジェット印刷である。本発明の複写防止用紙によれば、複写防止用紙を事前に低コストで大量生産しておき、必要に応じて、情報１７を印刷又は印画すれば、複写防止媒体１０とすることができる。
【００２３】
情報１７は、個人や個別情報で、例えば、銀行券であれば、金額、シリアルナンバー、製造所名等の文字、及び、人物像、日本銀行印、彩紋等の図形であり、印刷や印字等の適宜手段で設ける。また、詳細地図であれば、居住者名、住所、電話番号などである。情報１７の形成は特に限定されないが、オフセット印刷、グラビア印刷など公知の印刷法でよく、特にＵＶオフセット印刷、ＵＶインクジェット印刷が好ましい。さらに、これら情報１７と共に、土手、ガケ、旧斜面及び／又は水路、並びに過去のガケ崩れ、浸水地域などの危険度をグラデーション図柄とした印刷層１８を形成すれば、極めてみやすく、しかも、部外者には複写防止を発揮する。また、印刷層１８、潜像層１９及び情報１７の形成は同じでも異なってもよいが、好ましくはＵＶオフセット印刷又はＵＶインクジェット印刷で同時に形成することである。
【００２４】
（複写）情報１７が形成されている複写防止媒体１０を複写すると、図２に示すように、複写して得られた複写体１０Ｃは、金属鏡面からの高い光反射率によって全体が暗くなり、かつ、前記グラデーション図柄部分も暗く不明確化して情報１７が判読できにくくなり、複写防止効果がある。同時に、複写前の潜像は通常では目視しにくいが、複写機で複写すると光線の反射で絵柄を検出するので、金属層１５面からの反射層光は低光透過層１９Ａと高光透過層１９Ｂとを経由することで、反射率が異なり、潜像部分は顕在化して目視可能の図柄となって複写され、複写したことが一目で明確に判り、複写牽制効果がある。
【００２５】
（層構成）基材１１／金属層１５／印刷層１８／潜像層１９／情報１７の基本構成であるが、潜像層１９の位置を変更してよく、基材１１／金属層１５／印刷層１８／情報１７／潜像層１９、基材１１／金属層１５／潜像層１９／印刷層１８／情報１７、の構成でも同様の効果が得られる。
【実施例】
【００２６】
以下、実施例及び比較例により、本発明を更に詳細に説明するが、これに限定されるものではない。なお、溶媒を除き、各層の各組成物は固形分換算の質量部である。
【００２７】
（実施例１）斤量８０ｇ／ｍ2の上質紙（基材１１）に、トリアセチルセルロース系樹脂よ溶媒からなる透明プライマインクを用いて、乾燥後の厚さが５μｍになるようにグラビア印刷で塗布し乾燥してプライマ層を形成した。該プライマ層面へ、Ａｌを５００オングストロームの厚さまで真空蒸着して、金属鏡面の金属層１５を設けた。
該金属層１５面へ印刷層１８を設ける。ある地域の水害時の水没度合の分布図を、透明青インクを用いて、図１（Ａ）のような、深い水没から浅い水没地区へ淡くなるグラデーションを、ＵＶオフセット印刷法で印刷しＵＶ硬化して、印刷層１８をとした。同時に、情報１７としてある地域の地図を、水没分布図に合わせて黒インクでＵＶオフセット印刷法で印刷した。
さらに、潜像層１９を設ける。低光透過層１９Ａとして、アクリル系樹脂：マイクロシリカ＝１００：１０（質量部）からなる透明インクを用いて、ＵＶオフセット印刷法で「ＣＯＰＹのポジ像」文字を印刷しＵＶ硬化し、引き続いて、高光透過層１９Ｂとして、アクリル系樹脂らなる透明インクを用いて、ＵＶオフセット印刷法で「ＣＯＰＹのネガ像」を印刷しＵＶ硬化し、「ＣＯＰＹ」の潜像を有する潜像層１９を設けて、実施例１の複写防止媒体１０を得た。
該複写防止媒体１０を、カラーコピー機（ＣＬＣ５００、キャノン製）で複写したところ、複写して得られた複写体１０Ｃは、金属鏡面からの高い光反射率によって全体が暗くなり、かつ、前記グラデーション図柄部分も暗く不明確化して情報１７が判読できにくくなり、複写防止効果があった。
同時に、潜像は顕在化して目視可能の図柄「ＣＯＰＹ」となって複写され、複写したことが一目で明確に判り、複写牽制効果があった。
【００２８】
（参考例１）情報１７を印刷しない以外は、実施例１と同様にして、実施例２の複写防止媒体１０を得、該複写防止媒体１０の表面へ、情報１７としてある地域の地図を、水没分布図に合わせて、プリンターで黒印字した。
カラーコピー機（ＣＬＣ５００、キャノン製）で複写したところ、実施例１と同様の複写防止、及び複写牽制効果があった。
【図面の簡単な説明】
【００２９】
【図１】本発明の１実施例を示す複写防止媒体の平面図及び断面図である。
【図２】複写後の複写体の平面図である。
【図３】潜像層の構成例を示す断面図である。
【図４】情報の位置を示す断面図である。
【図５】グラデーション図柄の組合せ例の平面図である。
【符号の説明】
【００３０】
１０：複写防止媒体
１１：基材
１５：金属層
１７：情報
１７Ｃ：複写情報
１８：印刷層
１８Ｃ：複写印刷層
１９：潜像
１９Ｃ：可視像
１９Ａ：低光透過層
１９Ｂ：高光透過層
【図１】
0005360461.tif 000002
【図２】
0005360461.tif 000003
【図３】
0005360461.tif 000004
【図４】
0005360461.tif 000005
【図５】
0005360461.tif 000006